(57)【要約】【課題】  特に、従来に比べて、鏡筒のレンズを保持する内部空間を広く形成でき、更に、鏡筒と支持体間を確実且つ簡単に固着できるねじ構造を不要したカメラモジュール及びその組立方法を提供することを目的としている。  【解決手段】  鏡筒１１の外周面及び収納部２６の内周面は、鏡筒を回転させることなく収納部内に直進挿入可能で、鏡筒を収納部内で回転可能とする形状で形成されている。鏡筒１１には第１突き当て部１５が形成され、支持体１６には、第２突き当て部２７が形成されている。各突き当て部により高さ調整機構部３４が構成される。突き当て部の突き当て面の一方が傾斜面で形成されている。鏡筒１１の外周面１１ａには、鏡筒の前端面１１ｂから後端方向への途中にかけて、鏡筒１１を収納部２６内で回転させながら高さ調整機構部３４により鏡筒１１の高さ調整を行うための治具挿入孔１４が設けられている。【選択図】    図３
2011075643.tif 000002
【特許請求の範囲】
【請求項１】
レンズを保持する鏡筒と、前記鏡筒を収納する収納部を備えた支持体と、を有して構成されるカメラモジュールにおいて、
前記鏡筒の外周面及び前記収納部の内周面は、前記鏡筒を回転させることなく前記収納部内に直進挿入可能で且つ前記鏡筒を前記収納部内で回転可能とする形状で形成されており、
前記鏡筒には第１突き当て部が形成され、前記支持体には、前記鏡筒を前記収納部内に挿入したときに前記第１突き当て部に挿入方向にて突き当たる第２突き当て部が形成され、前記第１突き当て部と第２突き当て部とで高さ調整機構部が構成されており、前記突き当て部の突き当て面の一方が、前記挿入方向に対する水平面に対して傾斜する傾斜面を有し他方が前記鏡筒の回転に伴って前記傾斜面上を相対移動することで、前記鏡筒の前記収納部内での挿入方向への高さ調整を可能としており、
前記鏡筒の外周面には、前記鏡筒の前端面から後端方向に向けて、前記鏡筒を前記収納部内で回転させながら前記高さ調整機構部により前記鏡筒の高さ調整を行うための治具挿入孔が設けられていることを特徴とするカメラモジュール。
【請求項２】
前記治具挿入孔は、前記鏡筒の前端面から後端方向への途中にかけて形成され、前記治具挿入孔は、前記鏡筒と支持体間を固着する接合材の充填孔として使用される請求項１記載のカメラモジュール。
【請求項３】
前記治具挿入孔は、前記鏡筒の前端面から後端方向への途中にかけて形成され、レンズを保持する前記鏡筒内に設けられた内部空間は、前記治具挿入孔の形成位置よりも後端部側で最も広くなっている請求項１又は２に記載のカメラモジュール。
【請求項４】
前記鏡筒に形成される前記第１突き当て部は、前記鏡筒の前端側の外周面に周方向に沿って複数、前記鏡筒の中心から離れる方向に突出して形成されており、前記支持体側に形成される前記第２突き当て部は、前記第１突き当て部の後端側に位置しており、各第１突き当て部の間に前記治具挿入孔が形成されている請求項１ないし３のいずれか１項に記載のカメラモジュール。
【請求項５】
前記支持体は、駆動部と前記収納部を有するホルダとを有し、前記鏡筒は前記ホルダに支持されており、前記ホルダに前記第２突き当て部が形成されており、前記駆動部により前記ホルダが前記鏡筒の挿入方向と平行な方向に移動可能に支持されている請求項１ないし４のいずれか１項に記載のカメラモジュール。
【請求項６】
前記鏡筒に形成される前記第１突き当て部は、前記鏡筒の前端側の外周面に周方向に沿って前記鏡筒の中心から離れる方向に突出して形成されており、前記ホルダは、前記第１突き当て部の後端側に位置しており、前記第２突き当て部は、前記ホルダの前端部に形成されている請求項５記載のカメラモジュール。
【請求項７】
請求項２に記載されたカメラモジュールの組立方法であって、
前記鏡筒を前記収納部内へ直進させて挿入した後、前記治具挿入孔に治具を挿入して前記高さ調整機構部を用いて前記鏡筒の高さ調整を行う前に、予め、前記治具挿入孔内に接合材を充填しておき、高さ調整終了後、前記治具を前記治具挿入孔から外す前に前記接合材により前記鏡筒と前記支持体間を固着することを特徴とするカメラモジュールの組立方法。
【請求項８】
請求項２に記載されたカメラモジュールの組立方法であって、
前記鏡筒を前記収納部内へ直進させて挿入し、前記治具挿入孔に治具を挿入して前記高さ調整機構部を用いて前記鏡筒の高さ調整を行った後、前記治具を前記治具挿入孔から外して、前記治具挿入孔内に接合材を充填し、前記鏡筒と前記支持体間を固着することを特徴とするカメラモジュールの組立方法。
【発明の詳細な説明】
【技術分野】
【０００１】
本発明は、レンズを保持する鏡筒と、前記鏡筒を収納する収納部を備えた支持体とを有して構成されるカメラモジュール及びその組立方法に関する。
【背景技術】
【０００２】
レンズを保持する鏡筒と、前記鏡筒を収納する収納部を備えた支持体とを有して構成される従来のカメラモジュールにおいては、図１１に示すように鏡筒１の外周面に第１ねじ部２が形成され、収納部３の内周面に前記第１ねじ部２に螺合する第２ねじ部４が形成され、前記第１ねじ部２と第２ねじ部４により前記鏡筒１を前記収納部３内に回転させながら挿入して高さ位置を調整していた。
【０００３】
しかしながら図１１に示す従来のカメラモジュールは、鏡筒１の外周面と収納部３の内周面の間に第１ねじ部２及び第２ねじ部４が介在するため、鏡筒１の内部空間５を広くできず、よって鏡筒１に、レンズ径Ｔ１の大きいレンズを保持できない問題点があった（例えば特許文献１参照）。
【０００４】
一方、特許文献２には、ねじ構造を無くしたカメラモジュールに関する発明が記載されている。
【０００５】
図１２の模式図に示すように、ねじ構造を無くしたカメラモジュールでは、図１１に示すねじ構造を備えるカメラモジュールよりも鏡筒１の内部空間５を広くでき、鏡筒１に保持されるレンズのレンズ径Ｔ２を大きく出来ると考えられるが、ねじ構造を無くしたカメラモジュールでは、鏡筒１に対する微小な高さ調整（フォーカス調整）を必要とし、前記高さ調整を治具を用いて行う構成が確立しておらず、また前記高さ調整機構の構造や形成位置等により前記レンズ径Ｔ２の大きさが左右された。また、ねじ構造を無くしたカメラモジュールでは、鏡筒と支持体間の固着構造によっては前記レンズ径Ｔ２を十分に大きくできない問題があり、また簡単且つ確実に鏡筒と支持体間を固着できる構造が確立していなかった。
【先行技術文献】
【特許文献】
【０００６】
【特許文献１】特開２００１−２９２３６５号公報
【特許文献２】特開２００８−１２４７７７号公報
【発明の概要】
【発明が解決しようとする課題】
【０００７】
そこで本発明は上記従来の課題を解決するためのものであり、特に、ねじ構造を不要とし、治具を用いて適切且つ容易に高さ調整（フォーカス調整）を行うことができ、また従来に比べて、鏡筒と支持体間を確実且つ簡単に固着でき、鏡筒のレンズを保持する内部空間を広く形成できるカメラモジュール及びその組立方法を提供することを目的としている。
【課題を解決するための手段】
【０００８】
本発明は、レンズを保持する鏡筒と、前記鏡筒を収納する収納部を備えた支持体と、を有して構成されるカメラモジュールにおいて、
前記鏡筒の外周面及び前記収納部の内周面は、前記鏡筒を回転させることなく前記収納部内に直進挿入可能で且つ前記鏡筒を前記収納部内で回転可能とする形状で形成されており、
前記鏡筒には第１突き当て部が形成され、前記支持体には、前記鏡筒を前記収納部内に挿入したときに前記第１突き当て部に挿入方向にて突き当たる第２突き当て部が形成されており、前記第１突き当て部と第２突き当て部とで高さ調整機構部が構成され、前記突き当て部の突き当て面の一方が、前記挿入方向に対する水平面に対して傾斜する傾斜面を有し他方が前記鏡筒の回転に伴って前記傾斜面上を相対移動することで、前記鏡筒の前記収納部内での挿入方向への高さ調整を可能としており、
前記鏡筒の外周面には、前記鏡筒の前端面から後端方向に向けて、前記鏡筒を前記収納部内で回転させながら前記高さ調整機構部により前記鏡筒の高さ調整を行うための治具挿入孔が設けられていることを特徴とするものである。
【０００９】
本発明では、ねじ構造を不要とし、前記鏡筒を前記収納部内へ回転させることなく直進挿入（ストレートに挿入）することが出来るため組立が非常に楽となる。また、鏡筒と支持体とに夫々突き当て部を設けて、前記突き当て部の付き当て面の一方を傾斜面とした高さ調整機構部を設けたことで、簡単且つ高精度に鏡筒の高さ調整（フォーカス調整）を行うことが可能である。そして本発明では、この高さ調整のために治具の挿入孔を鏡筒の前端面から後端方向に向けて形成した。これにより本発明では治具を用いて前記高さ調整を適切且つ容易に行うことが可能になる。また本発明では、前記治具挿入孔を、前記鏡筒の外周位置に設けたことで、鏡筒の内部空間を広く形成することができる。
【００１０】
しかも本発明では、好ましくは、前記治具挿入孔を、前記鏡筒の外周面に、前記鏡筒の前端面から後端方向の途中にかけて形成することで、前記治具挿入孔内を、鏡筒と支持体間を固着する接合材の充填孔として使用でき、また、レンズを保持する前記鏡筒内に設けられた内部空間を、前記治具挿入孔の形成位置よりも後端部側で最も広く形成できる。したがって、本発明では、鏡筒の後端部側に配置されるレンズのレンズ径を従来よりも大きくすることができ、画像の質をより向上させることが可能な好適なレンズユニットを構成できる。
【００１１】
本発明では、前記鏡筒に形成される前記第１突き当て部は、前記鏡筒の前端側の外周面に周方向に沿って複数、前記鏡筒の中心から離れる方向に突出して形成されており、前記支持体側に形成される前記第２突き当て部は、前記第１突き当て部の後端側に位置しており、各第１突き当て部の間に前記治具挿入孔が形成されていることが好ましい。これによって、各突き当て部及び治具挿入孔を効率良く配置することが出来る。また前記鏡筒の内部空間の大きさを大きく形成することが出来、特に、第１突き当て部を鏡筒の前端側に設けたことで、鏡筒の後端部側に広い内部空間を適切且つ容易に形成することができる。
【００１２】
また本発明では、前記支持体は、駆動部と前記収納部を有するホルダとを有し、前記鏡筒は前記ホルダに支持されており、前記ホルダに前記第２突き当て部が形成されており、前記駆動部により前記ホルダが前記鏡筒の挿入方向と平行な方向に移動可能に支持されていることが好ましい。
本発明ではオートフォーカス用のカメラモジュールに適用することが可能である。
【００１３】
また本発明では、前記鏡筒に形成される前記第１突き当て部は、前記鏡筒の前端側の外周面に周方向に沿って、前記鏡筒の中心から離れる方向に突出して形成されており、前記ホルダは、前記第１突き当て部の後端側に位置しており、前記第２突き当て部は、前記ホルダの前端部に形成されていることが好ましい。これにより、鏡筒及びホルダに夫々、突き当て部を簡単且つ適切に形成することができる。
【００１４】
また本発明のカメラモジュールの組立方法は、
前記鏡筒を前記収納部内へ直進させて挿入した後、前記治具挿入孔に治具を挿入して前記高さ調整機構部を用いて前記鏡筒の高さ調整を行う前に、予め、前記治具挿入孔内に接合材を充填しておき、高さ調整終了後、前記治具を前記治具挿入孔から外す前に前記接合材により前記鏡筒と前記支持体間を固着することを特徴とするものである。
【００１５】
例えば前記接合材には熱硬化性樹脂を用い、未硬化状態の熱硬化性樹脂を予め前記治具挿入孔内に充填しておく。そして、高さ調整終了後に、治具を治具挿入孔から外すことなく、前記熱硬化性樹脂を硬化させることで、高精度に高さ調整された鏡筒と支持体間を確実且つ簡単に固着できる。
【００１６】
あるいは本発明では、前記鏡筒を前記収納部内へ直進させて挿入し、前記治具挿入孔に治具を挿入して前記高さ調整機構部を用いて前記鏡筒の高さ調整を行った後、前記治具を前記治具挿入孔から外して、前記治具挿入孔内に接合材を充填し、前記鏡筒と前記支持体間を固着することもできる。
【発明の効果】
【００１７】
本発明では、ねじ構造を不要とし、鏡筒を収納部内へ回転させることなく直進挿入（ストレートに挿入）することが出来るため組立が非常に楽となる。また、鏡筒と支持体とに夫々突き当て部を設けて、突き当て部の付き当て面の一方を傾斜面とした高さ調整機構部を設けたことで、簡単且つ高精度に鏡筒の高さ調整（フォーカス調整）を行うことが可能である。そして本発明では、この高さ調整のために治具の挿入孔を鏡筒の前端面から後端方向に向けて形成した。これにより本発明では治具を用いて前記高さ調整を適切且つ容易に行うことが可能になる。
【００１８】
好ましくは前記治具挿入孔を、前記鏡筒の外周位置に設けるとともに前端面から後端方向の途中にかけて形成することで、従来に比べて、鏡筒のレンズを保持する内部空間を広く形成でき、更に、前記治具挿入孔を、鏡筒と支持体間を固着する接合材の充填孔として使用でき、確実かつ容易な固着構造を実現できる。
【図面の簡単な説明】
【００１９】
【図１】本発明の第１実施形態としてのカメラモジュールと治具の斜視図、
【図２】カメラモジュールを構成する支持体の部分分解斜視図、
【図３】鏡筒（レンズバレル）と支持体との斜視図、
【図４】鏡筒の高さ調整（フォーカス調整）の際に治具を治具挿入孔に挿入した状態を示す平面図、
【図５】鏡筒の高さ調整（フォーカス調整）を説明するための部分拡大斜視図、
【図６】鏡筒及び支持体の部分縦断面図、
【図７】第２実施形態の鏡筒の斜視図、
【図８】支持体に組み込まれるホルダの部分拡大斜視図、
【図９】ホルダに形成された第２突き当て部の拡大斜視図、
【図１０】鏡筒をホルダの収納部に挿入した状態を示すカメラモジュールの部分斜視図、
【図１１】ねじ構造を備える従来のカメラモジュールの模式図、
【図１２】ねじ構造を備えないカメラモジュールの模式図、
【発明を実施するための形態】
【００２０】
図１は本発明の第１実施形態としてのカメラモジュールと治具の斜視図、図２は、カメラモジュールを構成する支持体の部分分解斜視図、図３は鏡筒（レンズバレル）と支持体との斜視図、図４は、鏡筒の高さ調整（フォーカス調整）の際に治具を治具挿入孔に挿入した状態を示す平面図、図５は、鏡筒の高さ調整（フォーカス調整）を説明するための部分拡大斜視図、図６は、鏡筒及び支持体の部分縦断面図を示す。
【００２１】
各図に示すＸ方向及びＹ方向は水平面内にて直交する２方向を指す。Ｚ方向は前記水平面に対して直交する高さ方向を指す。またＺ方向は鏡筒に保持されたレンズの光軸方向に一致している。
【００２２】
図１に示すカメラモジュール１０は、鏡筒（レンズバレル）１１と支持体１６とを有して構成される。図６に示すように鏡筒１１は、レンズ（図示しない）を保持するための内部空間１２を有している。
【００２３】
図３に示すように、鏡筒１１の外周面１１ａは、略円柱面で形成されている。鏡筒１１の前端面１１ｂ（Ｚ１側の面）の中央部には、レンズ窓１３が設けられている。また図３に示すように、鏡筒１１の外周面１１ａには、前端面１１ｂから後端方向（Ｚ２）の途中にかけて、有底の治具挿入孔（凹部）１４が形成されている。この実施形態では、外周面１１ａに沿って９０度間隔で、４つの治具挿入孔１４が形成されている。
【００２４】
また図３に示すように、各治具挿入孔１４間には、前端面１１ｂと同一平面を備え、前記外周面１１ａから第１突き当て部１５が前記レンズ窓１３から離れる方向に突出して形成されている。したがって図３に示すように、複数の第１突き当て部１５が、前記鏡筒１１の前端面１１ｂ側に外周に沿って前記治具挿入孔１４を介して形成されている。
【００２５】
図３に示す第１突き当て部１５の後端面（Ｚ２側の面）は、後述する第２突き当て部２７に当接する第１突き当て面１５ａであり、本実施形態では、前記第１突き当て面１５ａは、水平面（Ｘ−Ｚ面）に対して傾斜する傾斜面で形成されている。この傾斜状で形成された第１突き当て面１５ａは側方から見ると（例えばＸ１方向から見ると）直線状で形成されている。
【００２６】
図２に示すように、支持体１６は、シールドケース２０と、ホルダ２１と、ホルダ２１の周囲に巻回されたコイル部２２と、ヨーク２３と、撮像素子（図示しない）を支持するベース基板２４と、プリント基板２５と、図示しないマグネットと、図示しない板ばね部材、調整板及びスペーサ部材等とを有して構成されている。
【００２７】
図２に示すように、ホルダ２１はリング状で形成されており、前記ホルダ２１の中央に貫通する収納部２６が形成されている。前記収納部２６の内周面２６ａは略円柱面で形成されている。前記内周面２６ａは、前記鏡筒１１の外周面１１ａに対する案内面を構成している。例えば、前記内周面２６ａの半径は、鏡筒１１の外周面１１ａの半径とほぼ同等かあるいはやや小さく形成され、前記鏡筒１１に対しやや圧力を加えて（圧入により）前記収納部２６内に挿入するようになっている。
【００２８】
図２に示すように、ホルダ２１の前端部（Ｚ１側の面）２１ａには前方に向けて複数の突起状の第２突き当て部２７が形成されている。本実施形態では、鏡筒１１に形成された第１突き当て部１５とホルダ２１に形成された第２突き当て部２７とで高さ調整機構部３４（図３に符号３４を付した）が構成されている。
【００２９】
図２に示す実施形態では、第２突き当て部２７が８個形成されており、略等間隔で、すなわち円周状で形成された前端部２１ａに約４５°ずつの間隔を空けて形成されている。
【００３０】
図１に示すように鏡筒１１を収納部２６内に挿入したときに、ホルダ２１の前端面は鏡筒１１の前端面１１ｂよりも低い位置（Ｚ２側）にある。そして、図２に示す前記第２突き当て部２７の前端面は、図１に示すように鏡筒１１を収納部２６内に挿入したときに、第１突き当て部１５の第１突き当て面１５ａに突き当たる第２突き当て面２７ａを構成している。この実施形態では、前記第２突き当て面２７ａは、水平面（Ｘ−Ｙ面）に平行な面で形成されている。
【００３１】
また図２に示すようにホルダ２１には、内周面２６ａに、９０度間隔で、有底状で前方（Ｚ１）に突き抜ける複数の凹部２８が形成されている。
【００３２】
図２に示す実施形態では、ホルダ２１の外周位置にコイル部２２が固定支持されている。図２に示すヨーク２３は、略リング状で形成され、前記ヨーク２３内には内部空間が設けられている。図示しないマグネットは、ヨーク２３の周囲に等間隔に設けられた４つの保持部２３ａの内部空間に保持されている。またホルダ２１はヨーク２３の中央に位置する貫通孔２３ｂ内に配置されるが、ホルダ２１に固定支持されたコイル部２２は、ヨーク２３の内部空間内に配置され、前記保持部２３ａでは、マグネットと前記コイル部２２とが相対向した位置関係になっている。
【００３３】
図２に示す支持体１６は、ボイスコイルモータ（ＶＣＭ）の構造となっている。
前記マグネットは、コイル部２２に対向する側とヨーク２３に固定される側とで異なる極性となっている。コイル部２２に通電されるとフレミング左手の法則に基づいて、Ｚ方向に駆動力（電磁力）が発生し、ホルダ２１をＺ方向に動かすことができ、図２に示す支持体１６によりオートフォーカス構造を実現できる。
【００３４】
続いて、本実施形態における鏡筒１１を支持体１６に組み立てる組立方法について説明する。
【００３５】
まず図３に示す鏡筒１１を、支持体１６に組み込まれたホルダ２１に形成された収納部２６内に回転させることなく直進挿入する。上記したように、鏡筒１１の外周面１１ａ及び収納部２６の内周面２６ａは共に円柱面であり、前記内周面２６ａは前記外周面１１ａに対する案内面を構成している。よって、鏡筒１１の外周面１１ａを、前記収納部２６の内周面２６ａに沿って摺動させて、後端方向（Ｚ２）へ真っ直ぐに挿入することが出来る。
【００３６】
図１は、鏡筒１１が支持体１６の収納部２６内に挿入された状態を示す。図３に示すように鏡筒１１には前端側の外周部に複数の第１突き当て部１５が形成され、一方、ホルダ２１の前端部２１ａには複数の第２突き当て部２７が形成されている。前記鏡筒１１を支持体１６の収納部２６内に挿入したときに、前記第１突き当て部１５の傾斜面で形成された第１突き当て面１５ａと、第２突き当て部２７の前端面である第２突き当て面２７ａとが突き当たる。第１突き当て部１５と第２突き当て部２７とが当接すると、それ以上、前記鏡筒１１を回転させることなく後端方向（Ｚ２）に直進挿入することが出来ない。続いて、鏡筒１１の微小な高さ調整（フォーカス調整）を行う。
【００３７】
図１に示すように鏡筒１１を収納部２６内に収納し、続いて、鏡筒１１の高さ調整（フォーカス調整）を行う前に、鏡筒１１に設けられた治具挿入孔１４内に未硬化状態の熱硬化性樹脂３０を充填しておくことが出来る。前記熱硬化性樹脂３０を図３に示す鏡筒１１を支持体１６の収納部２６内に挿入する前から塗布しておいてもよい。
【００３８】
図１に示す治具３１は、リング状で形成されたハンドル部３２と、前記ハンドル部３２から内側方向に向って延びる４本の腕部３３が設けられている。各腕部３３は、治具挿入孔１４と同様に、ハンドル部３２の周囲に沿って９０度間隔で形成されている。各腕部３３の先端は屈曲して下方（Ｚ２）に延びる突起部３３ａを構成し、各突起部３３ａは、前記治具挿入孔１４と略同形状の外形を有して形成されている。
【００３９】
図４に示すように、各突起部３３ａを各治具挿入孔１４内に挿入する。そして治具３１のハンドル部３２を例えば反時計方向ＣＣＷに回転する。
【００４０】
図５（ａ）に示すように、治具３１（図５の部分拡大斜視図には治具３１を省略している）を用いて鏡筒１１を反時計方向ＣＣＷに回転させると、鏡筒１１の外周面１１ａは案内面である収納部２６の内周面２６ａ上を摺動し、適切に鏡筒１１を回転させることができる。
【００４１】
図５（ａ）に示すように、ホルダ２１の前端部２１ａに形成された一部の第２突き当て部２７の第２突き当て面２７ａが、鏡筒１１に形成された第１突き当て部１５の第１突き当て面１５ａに当接している。この状態から治具３１を用いて鏡筒１１を反時計方向ＣＣＷに回転させると、図５（ｂ）に示すように、第２突き当て部２７の第２突き当て面２７ａが第１突き当て部１５の傾斜面で形成された第１突き当て面１５ａ上を相対移動する。このため、鏡筒１１を図５（ａ）の状態から高さ方向に押し上げることができ、微小な高さ調整（フォーカス調整）を、第１突き当て部１５と第２突き当て部２７とで構成されるカム機構を利用した高さ調整機構部３４を用いて行うことが出来る。
【００４２】
本実施形態では図５（ｂ）のように鏡筒１１の高さ調整（フォーカス調整）が終了したら、前記治具３１を治具挿入孔１４から外すことなく、熱硬化性樹脂３０を硬化させて、鏡筒１１の外周面１１ａをホルダ２１の内周面２６ａに固着させた後、前記治具３１を取り外すことができる。
【００４３】
あるいは鏡筒１１とホルダ２１間の固着方法としては、熱硬化性樹脂３０等の接合材を予め充填せずに、図５（ｂ）に示す高さ調整（フォーカス調整）が終了したら治具３１を治具挿入孔１４から取り外して、前記治具挿入孔１４内に接合材を充填して固着させてもよい。あるいは、熱硬化性樹脂３０等の接合材を予め充填せずに、図５（ｂ）に示す高さ調整（フォーカス調整）が終了したら治具３１を治具挿入孔１４から取り外す前に、前記ホルダ２１の内周に設けられた凹部２８や鏡筒１１とホルダ２１の隙間から接合材を注入して、鏡筒１１の外周面１１ａとホルダ２１の内周面２６ａとの間を固着し、より好ましくは、治具３１を治具挿入孔１４から取り外した後に前記治具挿入孔１４内に接合材を更に充填して固着する。
【００４４】
本実施形態では、治具挿入孔１４は、前端側（Ｚ１）から後端側（Ｚ２）に貫いて形成されていても治具３１を用いて高さ調整（フォーカス調整）を適切且つ容易にでき、ねじ構造を不要としたカメラモジュールを実現できる。また治具挿入孔１４を鏡筒１１の外周面１１ａに設けているから鏡筒１１の内部空間１２を広くできる。
【００４５】
ただし、前記治具挿入孔１４は、有底の凹部で形成され、すなわち前端側（Ｚ１）から後端側（Ｚ２）に貫いて形成されていないことが好適である。
【００４６】
図６に示す部分拡大縦断面図に示すように、本実施形態では、治具挿入孔１４が、鏡筒１１の外周面１１ａに、鏡筒１１の前端面１１ｂから後端部の方向（Ｚ２）にかけての途中まで形成されている。このように、治具挿入孔１４を外周面１１ａの位置に設けたことと、治具挿入孔１４を途中までしか形成していないため、図６に示すように、鏡筒１１の内部空間１２を広く形成でき、特に、前記治具挿入孔１４が形成されていない後端部１２ａ側で最も広くなるように簡単且つ適切に形成することができる。図６に示すように、鏡筒１１の内部空間１２の後端部１２ａでは、レンズ径Ｔ３のレンズを保持することができ、従来に比べて、大きいレンズ径Ｔ３のレンズを鏡筒１１の後端部に配置することができ、画像の質が優れた好適なレンズユニットを構成できる。図６では鏡筒１１の内部空間１２は前端部１２ｂ側で最も狭く、中間部１２ｃで、前端部１２ｂと後端部１２ａの間の広さとなっており、異なるレンズ径を有する複数のレンズを保持することが出来る。
【００４７】
更に、前記治具挿入孔１４が有底の凹部で形成され、すなわち前端側（Ｚ１）から後端側（Ｚ２）に貫いて形成されていないことで、治具挿入孔１４を接合材の充填孔として用いても、接合材がホルダ２１の後方（Ｚ２）に向けて流出するといった問題が生ずることなく、鏡筒１１の外周面１１ａとホルダ２１の内周面２６ａとの間を簡単且つ確実に固着させることができる。
【００４８】
図７は第２実施形態の鏡筒の斜視図、図８は支持体に組み込まれるホルダの部分拡大斜視図、図９はホルダに形成された第２突き当て部の拡大斜視図、図１０は、鏡筒をホルダの収納部に挿入した状態を示すカメラモジュールの部分斜視図を示す。
【００４９】
図７に示す鏡筒４０において図３の鏡筒１１と異なる部分は第１突き当て部４１の形状である。すなわち図３では、第１突き当て部１５の第１突き当て面１５ａは傾斜面で形成されていたが、図７に示す第１突き当て部４１の第１突き当て面４１ａは水平面（Ｘ−Ｙ）方向に平行な面である。
【００５０】
図８，図９に示すホルダ４２は、図２に示すホルダ２１と同様にリング状であり、中央に収納部４６が形成されている。ホルダ４２の上端部４２ａには、第２突き当て部４３が形成されているが、前記第２突き当て部４３の前端面に位置する第２突き当て面４３ａは、図２と違って傾斜面で形成されている。前記傾斜面で形成された第２突き当て面４３ａは側方からみると直線状で形成されている。
【００５１】
そして図１０に示すように、鏡筒４０をホルダ４２の収納部４６内に回転させることなく直進挿入し、第１突き当て部４１の第１突き当て面４１ａと第２突き当て部４３の第２突き当て面４３ａとが当接した状態で、図１に示す治具３１を図４と同様に、図１０の治具挿入孔４５内に挿入して時計方向ＣＷあるいは反時計方向ＣＣＷに回転させる。このとき、治具を後端方向（Ｚ２）に押圧した状態で回転させると、鏡筒４０の第１突き当て部４１の第１突き当て面４１ａが、傾斜面で形成された第２突き当て部４３の第２突き当て面４３ａ上を移動し、これにより、鏡筒４０の微小な高さ調整（フォーカス調整）を高精度に行うことが出来る。
【００５２】
ホルダと鏡筒間の固着方法は上記で示したのと同様であり、図１０に示すように、有底状の凹部（袋小路状）の治具挿入孔４５内に接合材４７を充填することで、簡単且つ確実に鏡筒４０とホルダ４２間を固着させることができる。
【００５３】
また治具挿入孔４５は鏡筒４０の前端面から後端方向（Ｚ２）の途中にまで形成されているので、鏡筒４０の内部空間を後端部側で最も広く形成でき、レンズ径が大きいレンズを有効に前記内部空間の後端部に設置することが可能になっている。
【００５４】
上記におけるカメラモジュールはオートフォーカス構造であったが、オートフォーカスでない手動フォーカス構造（支持体に駆動部が設けられていない）にも適用できる。
【００５５】
ただしオートフォーカス構造に本実施形態を適用することで、鏡筒と共に移動するホルダとの間で簡単且つ確実に固着でき、またこの際、ホルダと鏡筒間以外に接合材が流出する等の不具合を防止でき、オートフォーカス構造を簡単且つ安定して形成できる。しかも、ホルダの上端部に第２突き当て部を設けることができ、鏡筒とホルダとの間で適切に高さ調整機構部及び固着構造を形成することが可能である。
【００５６】
また本実施形態では、鏡筒の外周面及び支持体の収納部の内周面が共に円柱面で形成されたねじ構造を備えない構成であるが、双方が円柱面で形成される構成に限定されず、鏡筒の外周面及び収納部の内周面は、前記鏡筒を回転させることなく前記収納部内に直進挿入可能で且つ前記鏡筒を前記収納部内で回転可能とする形状で形成されていればよい。ただし、鏡筒の外周面及び支持体の収納部の内周面を共に円柱面で形成することで、鏡筒を支持体の収納部内にスムース且つ安定して収納できて好ましい。
【００５７】
また、本実施形態では、第１突き当て面及び第２突き当て面の双方が傾斜面であっても良いし、傾斜面は直線状でなく曲面状であってもよい。また、前記傾斜面は斜面−水平面−斜面のように段階的に形成される構成であってもよい。あるいは傾斜面の角度を途中で変える構成としてもよい。
【符号の説明】
【００５８】
１０  カメラモジュール
１１、４０  鏡筒
１１ａ  （鏡筒の）外周面
１２  内部空間
１２ａ  （内部空間の）後端部
１４、４５  治具挿入孔
１５、４１  第１突き当て部
１５ａ、４１ａ  第１突き当て面
１６  支持体
２１、４２  ホルダ
２１ａ、４２ａ  （ホルダの）前端部
２２  コイル部
２３  ヨーク
２６、４６  収納部
２６ａ  （収納部の）内周面
２７、４３  第２突き当て部
２７ａ、４３ａ  第２突き当て面
２８  凹部
３０  熱硬化性樹脂
３１  治具
３２  ハンドル部
３３  腕部
３４  高さ調整機構部
４７  接合材
【図１】
2011075643.tif 000003
【図２】
2011075643.tif 000004
【図３】
2011075643.tif 000005
【図４】
2011075643.tif 000006
【図５】
2011075643.tif 000007
【図６】
2011075643.tif 000008
【図７】
2011075643.tif 000009
【図８】
2011075643.tif 000010
【図９】
2011075643.tif 000011
【図１０】
2011075643.tif 000012
【図１１】
2011075643.tif 000013
【図１２】
2011075643.tif 000014